(57)【特許請求の範囲】
【請求項１】
取付けブラケットと、
前記取付けブラケットを挟んで反対方向に延び、同軸的かつ一体的に形成され、ハブを有する共通のベース壁を有する第１および第２のカップと、
一体的な円筒状部材を有し、かつ軸支されたテンショナ・プーリを有する第１および第２のピボットアームと、
前記ピボットアームを付勢する、各カップ内の張力付与機構と、
前記ハブ内に嵌合された、各カップ内のピボット軸と、
前記円筒状部材を回動自在に支持する、各ピボット軸におけるスリーブ・ブッシュと
を備えるデュアル・テンショナ・アセンブリ。
【請求項２】
前記ベース壁が前記張力付与機構の形状に対応するように外形を合わせて形成される請求項１に記載のアセンブリ。
【請求項３】
前記ピボット軸が共に固定される請求項１に記載のアセンブリ。
【請求項４】
前記張力付与機構が前記ピボットアームを、時計方向または反時計方向のいずれかにおいて、同一方向に独立に付勢する請求項１に記載のアセンブリ。
【請求項５】
一方の前記張力付与機構が左巻きの螺旋状捻りバネを備え、他方の前記張力付与機構が右巻きの螺旋状捻りバネを備える請求項１に記載のアセンブリ。
【請求項６】
前記張力付与機構がそれぞれ、２つのバネ端部が前記ハブに関して実質的に反対側に係合するようにして前記ブラケットに係合するバネ端部を有する螺旋状の捻りバネを備える請求項１に記載のアセンブリ。
【請求項７】
少なくとも１つの前記カップ内に、前記ピボットアームの動きに対抗する摩擦減衰力を発生する減衰機構をさらに備える請求項１に記載のアセンブリ。
【請求項８】
前記各カップ内に、前記ピボットアームの動きに対抗する摩擦減衰力を発生する減衰機構をさらに備える請求項１に記載のアセンブリ。
【請求項９】
前記各張力付与機構が一端において前記カップに取付けられ、他端において減衰機構に取付けられる捻りバネを備える請求項１に記載のアセンブリ。
【請求項１０】
２つの動力伝達ベルトと、２つの駆動プーリと、少なくとも２つの被駆動プーリと、デュアル・テンショナ・アセンブリとを備える２ベルト駆動システムであって、
取付けブラケットと、
前記取付けブラケットを挟んで反対方向に延び、同軸的かつ一体的に形成され、ハブを有する共通のベース壁を有する第１および第２のカップと、
一体的な円筒状部材を有し、かつ軸支されたテンショナ・プーリを有する第１および第２のピボットアームと、
前記ピボットアームを付勢する、各カップ内の張力付与機構と、
前記ハブ内に嵌合された、各カップ内のピボット軸と、
前記円筒状部材を回動自在に支持する、各ピボット軸におけるスリーブ・ブッシュと
を備える２ベルト駆動システム。
【請求項１１】
前記２つの駆動プーリが共通の駆動軸に取付けられる請求項１０に記載のシステム。
【請求項１２】
前記ベース壁が前記張力付与機構の形状に対応するように外形を合わせて形成される請求項１０に記載のシステム。
【請求項１３】
前記張力付与機構がそれぞれ、２つのバネ端部が前記ハブに関して実質的に反対側に係合するようにして前記ブラケットに係合するバネ端部を有する螺旋捻りバネを備える請求項１２に記載のアセンブリ。
【請求項１４】
前記各カップ内に、前記ピボットアームの動きに対抗する摩擦減衰力を発生する減衰機構をさらに備える請求項１３に記載のシステム。
【発明の詳細な説明】
【技術分野】
【０００１】
本発明は、共通のピボットを有する二重の独立的に減衰するテンショナを有する２ベルト駆動システムに関し、特に、共通のハウジング内に、ベルト係合プーリが回転自在に取付けられたピボットアームの位置を偏倚させる２つの捻りバネを有するデュアル・テンショナ・アセンブリに関する。減衰機構を有する本発明のテンショナは特に、自動車あるいはトラックのエンジンのためのフロントエンド・アクセサリ・ドライブのマルチ・Ｖリブドベルトの張力を制御するのに有用である。
【背景技術】
【０００２】
ベルト・テンショナはベルトに負荷を与えるために用いられる。概してベルトは、エンジンに協働する種々のアクセサリを駆動するためにエンジンの用途に用いられる。例えば空調機コンプレッサとオルタネータは、ベルト駆動システムによって駆動されるアクセサリの中の２つである。ベルト・テンショナは、ベースに対して回動自在であるアームに軸支されたプーリを含む。バネはアームとベースの間に連結される。バネはまた、減衰機構に係合してもよい。減衰機構は互いに接触する摩擦面を含む。減衰機構は、ベルト駆動の動作によって発生するアームの揺動運動を減衰させる。これは、運動する要素の摩耗を最小限にすることにより、ベルトの寿命の期待とテンショナの寿命の期待を高める。
【０００３】
この技術の代表はサーク（Serkh）の米国特許第６，５６５，４６８号明細書、サーク等（Serkh et al.）の米国特許第７，００４，８６３号明細書、およびサークの米国特許第６，５８２，３３２号明細書であり、これらの全ての内容は参照することによって、この明細書に組み込まれる。
【０００４】
２つのベルトはときどき、例えば同じエンジンにおいて近接して用いられ、ベルトの寿命を改善するために種々のアクセサリの負荷を分割する。このような場合、２つのテンショナが用いられて、１つが１つのベルトに用いられてもよい。一方、２つのベルトに同時に張力を付与する種々のテンショナの設計が提案されてきた。この技術の代表はベネディクト（Benedict）の米国特許第４，７９８，５６４号明細書であり、これは二重ベルト駆動に張力を付与するために用いられる単一のテンショナを開示する。このテンショナはバネ付勢された主アームを有し、主アームは、端部に自由に回動するように設けられる補助アームであって、２つのベルトに同時に張力を付与するための２つのプーリを有する補助アームを備える。グローバー等（Grover et al.）の米国特許公開第２００３／０１５９５３５Ａ１号明細書は、互いに積み重ねられた２つの同一のテンショナを有する２ベルト駆動を開示する。
【０００５】
他のデュアル・テンショナは、同じベルトの２つのスパンの一方または両方に張力を付与するために、スタータ・ジェネレータの用途のように負荷が反転する単一のベルト駆動に応用されてきた。この技術の代表は、アリ等（Ali et al.）の米国特許公開第２００２／００３９４４Ａ１号明細書であり、これは２つの相互に付勢するテンショナ・プーリを有するテンショナを開示する。このようなテンショナは単一のベルトに協力して作用するので、単一の捻りバネを有する。
【発明の概要】
【発明が解決しようとする課題】
【０００６】
本発明は、限られたスペース内にあり、優れた強度すなわち剛性を有し、相対的に軽量のパッケージである、２つのベルトの減衰を独立した張力付与機構に与えるシステムおよび方法に利用される。
【課題を解決するための手段】
【０００７】
本発明によるデュアル・テンショナ・アセンブリは、取付けブラケットと、取付けブラケットの反対側に同軸的かつ一体的に形成され、ハブを有する共通のベース壁を有する第１および第２のカップと、一体的な円筒状部材を有し、かつ軸支されたテンショナ・プーリを有する第１および第２のピボットアームと、ピボットアームを付勢する、各カップ内の張力付与機構と、ハブ内に嵌合された、各カップ内のピボット軸と、円筒状部材を回動自在に支持する、各ピボット軸におけるスリーブ・ブッシュとを含む。ピボット軸は張力付与機構およびブッシュ等を各カップ内において所定位置に保持するためにフランジを形成されてもよい。ピボット軸は共に同軸的に固定されてもよい。
【０００８】
２つのカップの間のベース壁は、張力付与機構の形状に対応するように外形を合わせて形成されてもよい。張力付与機構はピボットアームを同一方向または逆方向に独立に付勢し、各ベルトを時計方向または反時計方向のいずれかに付勢してもよい。一方または両方のテンショナは減衰機構を含んでもよい。
【０００９】
張力付与機構は左巻きの螺旋状捻りバネを備えてもよく、右巻きの螺旋状捻りバネを備えてもよく、あるいは一方の捻りバネを備えてもよい。各螺旋状捻りバネはバネ端部を有し、２つのバネ端部はハブの実質的に反対側に係合するようにベースに係合する。捻りバネは一端においてカップまたはベースに、また他端において減衰機構に係合あるいは取付けられてもよい。
【００１０】
本発明はまた、２つの動力伝達ベルトと、少なくとも２つの駆動プーリと、少なくとも２つの被駆動プーリと、本発明の一実施形態によるデュアル・テンショナ・アセンブリとを有する２ベルト駆動システムに利用される。２つの駆動プーリは共通の駆動軸に同軸的に取付けられてもよい。駆動プーリはウォータポンプ・プーリ、空調機コンプレッサ・プーリ、オルタネータ・プーリ、パワーステアリング・プーリ、ファン・プーリ、スタータ／ジェネレータ・プーリ等を含む１つ以上のアクセサリ・プーリである。
【００１１】
前述の事項は、以下の本発明の詳細な説明がよく理解されるようにするために、本発明の特徴と技術的利点をむしろ広く概説したものである。本発明の付加的な特徴と利点はこの後記載され、本発明の請求項の主題を構成する。開示された概念と特定の実施形態が本発明と同じ目的を実行するために他の構造を修正し、設計するための基礎として、容易に利用されることが当業者によって理解されるべきである。また、このような均等な構造が添付された請求項に記載されたような発明の精神と範囲から逸脱しないことが当業者によって理解されるべきである。構造および作用の方法について、さらなる目的と利点と共に、本発明の特徴であると信じられる新規な特徴は、添付した図面に関連して考慮されると、後述の記載からよく理解されるであろう。しかし、各図面は説明と記述のための目的として用いられ、本発明の限定として意図されないことが明確に理解されるべきである。
【図面の簡単な説明】
【００１２】
この明細書に組み込まれその一部を構成し、同じ符号は同じ部分を示す添付図面は、本発明の好ましい実施形態を示し、説明とともに本発明の原理を説明するために用いられる。
【００１３】
【図１】本発明のデュアル・ベルト・テンショナを含む第１のフロントエンド・アクセサリ・駆動システムの概略正面図である。
【００１４】
【図２】図１のデュアル・ベルト・テンショナを含む第２のフロントエンド・アクセサリ・駆動システムの概略の正面図である。
【００１５】
【図３】図１、２の２駆動システムを組み合わせ、図１のデュアル・ベルト・テンショナを含む概略の正面図である。
【００１６】
【図４】本発明のデュアル・テンショナ・アセンブリの斜視図である。
【００１７】
【図５】本発明のデュアル・テンショナ・アセンブリの上面図である。
【００１８】
【図６】図５のデュアル・テンショナ・アセンブリの底面図である。
【００１９】
【図７】図５の７−７線に沿う断面図である。
【００２０】
【図８】図６の８−８線に沿う断面図である。
【００２１】
【図９】図６の９−９線に沿う本発明の要素の断面図である。
【発明を実施するための形態】
【００２２】
図１、２、３を参照すると、プーリ４０、４６、５０を有するデュアル・ベルトテンショナ・アセンブリ１００が、ベルト３０、３２といくつかのプーリを含む２ベルト駆動システムの構成部品として示される。一例として、第１のベルト３０はクランク・プーリ２２、アクセサリ・プーリ６０（例えばファンあるいはウォータポンプ・プーリである）、アイドラ５０、および第１のテンショナ・プーリ４０の周りに掛け回される。テンショナ・プーリ４０はベルト３０に係合し、プーリ４０が第１のピボットアーム４２にどのように取付けられ、どのようにピボット軸４４の周りに移動して第１のベルトの張力を維持するかを概略的に示すために、いくつかの位置に示される。第２のベルト３２は、クランク・プーリ２２に同軸的である第２のクランク・プーリ２４の周りに掛け回され、これらのプーリは符号２０においてクランク軸に取付けられる。第２のベルト３２はまた、３つのアクセサリ・プーリ６０、６２、６４（例えばウォータポンプ・プーリ、空調機コンプレッサ・プーリ、オルタネータ・プーリ、パワーステアリング・プーリ等を含む）、アイドラ・プーリ５２、５４、および第２のテンショナ・プーリ４６の周りに掛け回される。テンショナ・プーリ４６はベルト３２に係合し、プーリ４６が第２のピボットアーム４８にどのように取付けられ、どのようにピボット軸４４の周りに移動して第２のベルトの張力を維持するかを概略的に示すために、いくつかの位置に示される。
【００２３】
図３はデュアル・テンショナ１００を含む完全なデュアル・ベルト・ドライブ２００を示す。テンショナ１００は一体的なバネハウジング１２０を有する取付けブラケット１１０を含む。ピボットアーム４２、４８は共通のピボット４４を有する。アイドラ・プーリ５０は、便宜上、ブラケット１１０に選択的に取付けられる第３のプーリを表す。両方のピボットアームは、このシステムを図１〜３におけるように見たときに時計周りに各ベルトを付勢するように配設されるが、他の付勢のための構成、他の数のプーリ、および他の配置が可能である。
【００２４】
図４はデュアル・テンショナ・アセンブリ１００の形態である本発明の実施形態を斜視図で示す。テンショナ・アセンブリ１００は取付けブラケット１１０の周りに組み付けられ、ブラケットは、ボルトあるいは他の締め付け手段を用いて取付けるために、例えば穴１１２を有する。捻りバネおよび他の要素（例えばダストシール１３０の下）を収容する円筒状ベース１２０はブラケット１１０と一体的である。ベース１２０の各端部は、ピボットアームが取付けられた円筒状部材を受容する。したがって第１のアーム４２と第２のアーム４８は、円筒状部材およびベースの軸である共通軸の周りに回動する。各円筒状部材は、ベースに取付けられたピボット軸に回動自在に支持される。ピボットアームはまた、そこに軸支されたプーリを有する。ピボットアーム４８は背面アイドラ・プーリ４６を有し、ベルトの取付けにおいて利用するための正方形の孔１１４を有する。ピボットアーム４２は、マルチＶリブドベルトに張力を付与するために、溝付きアイドラ・プーリ４０を有する。ピボットアームは捻りバネによって付勢され、ベルトに張力を付与する。ブラケットはアイドラ５０が軸支された選択的な固定アーム１３２を含む。
【００２５】
本発明によれば、円筒状ベースはブラケットに一体的であり、ブラケットの両側から突出する。ブラケットはベースの中間部分を通る、壁すなわち仕切り壁を構成する。ベースは各端部に開口を有し、張力付与／減衰機構、ピボット軸、ピボットアームの円筒状部分等を受容する。このようにベースは、ブラケットの部分をも構成する共通の底部すなわちベース壁を有する、底部同士が合わさって配置された２つのカップのようである。各カップ内の底部は、ベース壁が最小重量を有し、またはカップが最小スペースを占めるよう、収容されたテンショニング機構の形状に対応するように、あるいはブラケットの剛性すなわち強度を最適化するように、あるいは他の望ましい基準に合致するように、外形を合わせて形成されてもよい。このように本発明の実施形態は、コンパクトで効率的かつ軽量な、２ベルト駆動システムにおける２つのベルトの独立した張力付与を提供する。
【００２６】
図５〜９は、本発明によるデュアル・テンショナ・アセンブリの第２の実施形態の種々の図を、内部張力付与機構の詳細と共に示す。図４の第１の実施形態との差異は、取付け等に用いるためのピボットアームにおける追加された特徴の数と実例を含む。図５はデュアル・テンショナ・アセンブリ３００の上面を示す。テンショナは望ましい配置で取付けられるかもしれないので、「上面」および「底部」の用語は種々の図を同一視するために任意の方法で用いられることを理解すべきである。例えば、テンショナ３００が図３の駆動装置に取付けられたならば、ベルトが垂直面内に走行すると仮定して、図６のいわゆる底面図は正面図であり、図５の上面図は背面図である。
【００２７】
テンショナ・アセンブリ３００は取付けブラケット３１０の周りに組み付けられ、取付けブラケットはエンジンあるいはベルト駆動システムのフレームにボルトあるいは他の締め付け具によって取付けるために例えば孔３１２を有する。後に詳述される捻りバネおよび他の要素（例えばダストシール３３０の下）を収容する円筒状ベース３２０はブラケット３１０と一体的である。ベース３２０の各端部はピボットアームが取付けられる円筒状部材を受容する。したがって第１のピボットアーム３４２と第２のピボットアーム３４８は、円筒状部材およびベースの軸である共通軸の周りに回動する。ピボットアームは、そこに軸支されたプーリを有する。ピボットアーム３４８はボルト３２２によって固定された背面アイドラ・プーリ３４６を有し、ベルトの取付けにおいて利用するための正方形の孔３１４とストッパとして利用されるための突起３１６とを含む。ピボットアーム３４２は、マルチＶリブドベルトに張力を付与するための溝付きアイドラ・プーリ３４０を有し、ベルトの取付けのために利用される突起および孔３１８を含む。ピボットアームは捻りバネによって付勢され、ベルトに張力を付与する。ブラケットはアイドラ３５０が軸支された選択的な固定アーム３３２を含む。
【００２８】
図６はデュアル・テンショナ・アセンブリ３００の底面図を示す。テンショナ・アセンブリ３００は取付けブラケット３１０の周りに組み付けられ、取付けブラケットは例えばボルトあるいは他の締め付け具によって取付けるために孔３１２を有する。後に詳述される捻りバネおよび他の要素（例えばダストシール３３１の下）を収容する円筒状ベース３２０はブラケット３１０と一体的である。ピボットアーム３４８は背面アイドラ・プーリ３４６を有する。ピボットアーム３４２はボルト３３６によって固定された溝付きアイドラ・プーリ３４０を有し、ベルトの取付けにおいて利用されるための突起および孔３１８を含む。ブラケットは締め付け具３３４によって軸支されたアイドラ３５０を有する選択的な固定アーム３３２を含む。
【００２９】
図７は図５の実施形態の７−７線に沿う断面図を示し、図８は図６の実施形態の８−８線に沿う断面図を示し、本発明のデュアル・テンショナ・アセンブリの一実施形態の内部構成の詳細を表す。ブラケット３１０は、第１のカップ３５６と第２のカップ３５４とハブ３５８とを有する一体的ハウジング３２０を備える。カップ３５４、３５６は、底部同士が合わさって配置された形状に一体的に成形され、実質的にブラケット３１０の面にある共通のベース壁３６０を共有する。第１のカップ３５６は第１のテンショナの張力付与／減衰機構を収容し、第１のテンショナはベアリング４１０を介して軸支されたプーリ３４０を有する第１のピボットアーム３４２を備える。第１のピボット軸３８２がハブ３５８に取付けられ、そこにスリーブ型ブッシュ３８８が配置される。ブッシュは第１のピボットアーム３４２の円筒状部材３８６を支持する軸受け面を有する。ピボット軸３８２はハブ３５８に当接する肩部３８４を有する。
【００３０】
第１のテンショナの張力付与機構は捻りバネ３９０を含み、その第１端部３９２はベース壁３６０の近くにおいて第１のカップ３５６に係合し、その第２端部３９４はダンピングシュー３９６に係合する。図示された減衰機構は、ダンピングパッド３９８が取付けられたダンピングシュー３９６を備える。減衰機構はカップとピボットアームの間に取付けられ、捻りバネからの圧力によりカップの内壁および／またはピボットアームに摺動自在に係合する作用面を有する。図示された実施形態において、パッド３９８は、カップ３５６の内壁の一部である摩擦面４００に摺動自在に係合する。ピボットアーム３４２はダンピングシュー３９６に係合するストッパ４２０を有し、これによりピボットアームの動きはシューを介してバネの端部３９４に伝達される。このように、バネの他端部３９２がベースに係合するので、バネ３９０は、ピボットアームの動きに対抗するバネ力を発生する。同時に、シューの動きはピボットアームの動きに対抗する摩擦減衰力を発生する。図示された実施形態におけるバネとベースとの係合手段は、真っ直ぐに延び内側に曲げられて弦部分を形成するバネ端部３９２を備え、弦部分はベースにおける狭い受容部４１２に収容される。
【００３１】
第２のカップ３５４は、ベアリング４０８により軸支されたプーリ３４６を有する第２のピボットアーム３４８を備える第２のテンショナの張力付与／減衰機構を収容する。第２のピボット軸３６２がハブ３５８に取付けられ、そこにスリーブ型ブッシュ３６８が配置される。ブッシュは第２のピボットアーム３４８の円筒状部材３６６を支持する軸受け面を有する。ピボット軸３６２はハブ３５８に当接する肩部３６４を有する。
【００３２】
第２のテンショナの張力付与機構は捻りバネ３７０を含み、その第１端部３７２はベース壁３６０の近くにおいて第２のカップ３５４に係合し、その第２端部３７４はダンピングシュー３７６に係合する。図示された減衰機構は、ダンピングパッド３７８が取付けられたダンピングシュー３７６を備える。減衰機構はカップとピボットアームの間に取付けられ、捻りバネからの圧力によりカップの内壁および／またはピボットアームに摺動自在に係合する作用面を有する。図示された実施形態において、パッド３７８は、カップ３５４の内壁の一部である摩擦面３８０に摺動自在に係合する。ピボットアーム３４８はダンピングシュー３７６に係合するストッパ４２２を有し、これによりピボットアームの動きはシューを介してバネの端部３７４に伝達される。このように、バネの他端部３７２がベースに係合するので、バネ３７０は、ピボットアームの動きに対抗するバネ力を発生する。同時に、シューの動きはピボットアームの動きに対抗する摩擦減衰力を発生する。図示された実施形態におけるバネとベースとの係合手段は、真っ直ぐに延び内側に曲げられて弦部分を形成するバネ端部３７２を備え、弦部分はベースにおける狭い受容部に収容される。
【００３３】
一方あるいは両方の減衰機構が、参照することによってこの明細書に組み込まれる米国特許第７，００４，８６３号明細書に記載されたような非対象減衰機構であってもよい。これに代えて、減衰機構は対象的であってもよく、あるいは減衰機構は省略されてもよく、捻りバネの適当な端部がピボットアームに直接係合してもよい。好ましくは減衰機構は、参照することによってこの明細書に組み込まれる例えば米国特許第６，５６５，４６８号明細書に記載されたように、ピボット軸に平行な平面に沿って、実質的に、対応するテンショナ・プーリとピボット・ブッシュの間に配設され、したがってハブ荷重は実質的により小さい荷重でピボット・ブッシュに対してより効果的に釣り合う。
【００３４】
ピボット軸３６２、３８２はまた、ピボットアーム３４２、３４８とブッシュ３６８、３８８を所定の位置に保持し、かつバネ３７０、３９０を圧縮するための締付け具としても作用する。このようにピボット軸３６２、３８２は保持フランジを有して示され、それらはハブ３５８の中に締まり嵌めされてもよい。付加された保持力のために、２つのピボット軸は例えば共に固定されてもよく、一方のピボット軸は孔が貫通して開けられ、他のピボット軸はボルト用のネジ孔が形成されてもよい。図面において、軸３６２は孔４０２とさら穴４０４が設けられる。軸３８２はネジ孔４０６が設けられる。このように２つの軸はボルト、ネジ、あるいは他の締付け手段によって共に保持される。
【００３５】
図９は本発明の一実施形態によるブラケット３１０の断面図を示す。図９は、２つのテンショナのための一体的なカップを有するブラケットのいくつかの有利な特徴を示している。ブラケット３１０は、上述したように２つのピボット軸を受容するために、３５９において貫通して開口されたハブ３５８を有するカップ３５４、３５６を有する。ベース壁３６０は平らではなく、最小ベース壁厚さＴを許容するために、２つの張力付与バネの形状に対応するように外形を合わせて形成される。このようにベース壁３６０の少なくとも一部は、距離Ｈによって表されるヘリカルピッチを有するように示される。図９はまた、ハブ３５８とカップ３５６の円筒壁との間の環状領域が突起４１４によって形成された狭い受容部４１２を含むことを示している。この受容部は上述したように捻りバネの端部に係合してもよい。同様に他のカップ３５４は、他の捻りバネに係合するためにカップの壁面からの突起４１８によって形成された狭い受容部４１６を含む。最適なスペース削減と最適なベース壁３６０の厚さのために、２つの受容部４１２、４１６はベース３２０の実質的に反対側に配置されることが好ましい。換言すれば、２つの捻りバネ３７２、３９２はベースの実質的に反対側のベースに係合する。そしてベースは、バネ形状に対応し、構造的支持および／またはブラケットの重さを最適化するために望ましいベース壁厚さとなるように、各カップ内において適当に外形を合わせて形成されてもよい。なお、図示の実施形態は、一方が左巻き、他方が右巻きで、逆方向に螺旋状に捻られた２つの捻りバネを有する。同方向に螺旋状に捻られた２つの捻りバネが、上述したのと同じ係合かつ配置で用いられることができる。いずれにしてもベース壁は適当に外形を形成されて各カップ内において張力付与機構の形状に対応し、それにより、平らな底壁部すなわち仕切り板により達成されうる軸方向の空間に関する、２つの張力付与機構の近接した軸方向の配置を許容する。
【００３６】
２つのテンショナが単純に積み重ねられ、あるいはブラケットあるいは板のいずれかの側に取付けられていたとすると、デュアル・テンショナのためのスペースと重量の増加の結果により、ベース壁の厚さは本発明に対して少なくともほぼ二倍である。結果として生じるアセンブリの剛性は、やはり２つのテンショナを共に固定するために使用される手段によって制限される。本発明の一体的なブラケットとカップはデュアル・テンショナ・アセンブリが最小スペースを占め、かつ最適な重量および／または剛性であることを許容する。
【００３７】
本発明とその利点が詳細に説明されたが、種々の交換、置換え、および変更が、添付された請求項によって定義された発明の範囲から逸脱することなく、なされうることを理解すべきである。さらに、本願の発明の範囲は、この明細書に記載されたプロセス、機械、製造、組成物、手段、方法、およびステップの特定の実施形態に限定されることを意図しない。当業者が本発明の開示内容から容易に想到するので、現在存在し、あるいは将来開発される、ここに記載された対応する実施形態と同じ機能を実質的に果たし、あるいは実質的に同じ結果を達成するプロセス、機械、製造、組成物、手段、方法、あるいはステップが本発明によって利用されうる。したがって添付された請求項は、その範囲内に、プロセス、機械、製造、組成物、手段、方法、あるいはステップを含むことを意図する。ここに開示された発明は、特にここに開示されない要素がない場合に、適切に実施されるかもしれない。
【図１】
0005364205.tif 000002
【図２】
0005364205.tif 000003
【図３】
0005364205.tif 000004
【図４】
0005364205.tif 000005
【図５】
0005364205.tif 000006
【図６】
0005364205.tif 000007
【図７】
0005364205.tif 000008
【図８】
0005364205.tif 000009
【図９】
0005364205.tif 000010